(57)【要約】  本発明は、異なる電源供給方式の本体装置であっても共用できるカード装置及びその電力供給方法を提供することを目的とする。本発明にかかるカード装置は、扁平矩形状のカード基体（１０１）と、内部回路（３０１）と、外部コネクタ（１０２）と、本体コネクタ（１０３）と、を備えている。外部コネクタ（１０２）は、カードスロット（２１）に挿入された状態でカードスロットの開口側（２０１）に位置する端辺（２０２）に設けられ、外部電源から電源供給を受ける。本体コネクタ（１０３）は、カードスロット（２００）に挿入された状態でカードスロット（２００）の最奥側の辺に設けられ、本体装置から電源供給を受ける。本体コネクタ（１０３）と外部コネクタ（１０２）とのうち、電源供給を受けるいずれか一方のコネクタから内部回路（３０１）の動作に必要な電力供給を受ける。
2010125764.tif 000002
【特許請求の範囲】
【請求項１】
少なくとも１つのカードスロットを有し、前記カードスロットに挿入されたカード装置によって機能を発揮する本体装置に挿入されるカード装置であって、
扁平矩形状のカード基体と、
前記カード基体の内部に設けられ、前記カード装置の機能を発揮させるために電源の供給が必要な内部回路と、
前記カードスロットに挿入された状態で前記カードスロットの内面に接するいずれかの辺に設けられ、前記本体装置から電源供給を受けるための本体コネクタと、
前記カードスロットに挿入された状態でカードスロットの開口側に位置する端辺に設けられ、外部電源から電源供給を受けるための外部コネクタと、を備え、
前記本体コネクタと前記外部コネクタとのうち、電源供給を受けるいずれか一方のコネクタから前記内部回路の動作に必要な電力供給を受けることを特徴とするカード装置。
【請求項２】
前記本体コネクタは、前記外部コネクタが設けられている辺の対辺であって、当該カード装置がカードスロットに挿入された状態で前記カードスロットの最奥側に位置する辺に設けられている請求項１記載のカード装置。
【請求項３】
前記カード装置は、前記内部回路と前記本体コネクタ及び前記外部コネクタとの接続を制御する電源制御手段をさらに備え、
前記電源制御手段は、
前記本体コネクタから電源が供給される場合には、前記内部回路と前記本体コネクタとを接続するとともに、前記内部回路と前記外部コネクタとを遮断し、
前記外部コネクタから電源が供給される場合には、前記内部回路と前記外部コネクタとを接続するとともに、前記内部回路と前記外部コネクタとを遮断することを特徴とする請求項１または２記載のカード装置。
【請求項４】
カードスロット内に挿入され、電力供給が必要な内部回路を備えるカード装置の電力供給方法であって、
前記カードスロットの内面から電力を供給する場合は、前記カードスロットの開口側からの電力の供給を遮断し、
前記開口側から電力を供給する場合は、前記内面からの電力の供給を遮断するカード装置の電力供給方法。
【請求項５】
前記カード装置は、
前記カードスロットに挿入された状態で前記カードスロットの内面に接する位置に設けられ、本体装置から電源供給を受けるための本体コネクタと、
前記カードスロットに挿入された状態で前記カードスロットの開口側であって前記カードスロットの外部に設けられ、外部電源から電源供給を受けるための外部コネクタと、をさらに備え、
前記内部回路と前記本体コネクタとを接続する場合は、前記内部回路と前記外部コネクタとの接続を遮断し、
前記内部回路と前記外部コネクタとを接続する場合は、前記内部回路と前記本体コネクタとの接続を遮断する請求項４に記載のカード装置の電力供給方法。
【発明の詳細な説明】
【技術分野】
【０００１】
本発明はカード装置に関し、特に電源供給が必要なカード装置及びその電力供給方法に関する。
【背景技術】
【０００２】
近年、ＰＣ（Personal Computer）カードなど、電源を供給することによってそのカードの機能を発揮するカード装置が普及している。（例えば、特許文献１、２、３、４）【０００３】
図８は、カード装置の一使用形態として、本体装置２０のカードスロット２１にカード装置１０を挿入した状態を示す図である。図８では、単一のカード装置１０を使用する場合を示している。図９は、カード装置１０の外観斜視図である。カード装置１０は、カードスロット２１に挿入された状態でカードスロット２１の開口側２２に位置する端辺１１に電源供給用コネクタ（以下、外部コネクタ１２と呼ぶ）を有する。本体装置２０の外に設置された外部電源３０の電源供給用ケーブル３１が外部コネクタ１２に接続される。これにより、カード装置１０に電源供給が行われる。【０００４】
一方、図１０は、カード装置の他の使用形態として、カード装置４０を複数使用する場合を示す図である。複数のカード装置４０を使用する本体装置５０の場合、カードスロット５１の奥側５２に電源供給用のバックボード部５３を備える。図１１は、図１０の本体装置５０に使用されるカード装置４０の外観斜視図である。このカード装置４０は、カードスロット５１に挿入されたときに、カードスロット５１の奥側５２に位置する端辺４１に電源供給用コネクタ（以下、本体コネクタ４２と呼ぶ）を備える。そして、カード装置４０をカードスロット５１に挿入すると、本体コネクタ４２は、バックボード部５３に接続される。外部電源３０から電源供給ユニット５４に電源が供給されると、本体装置５０のバックボード部５３から本体コネクタ４２に電源が供給され、カード装置４０への電源供給が行われる。【０００５】
また、特許文献１にはホストからの電源供給を上回る電力を必要とするカード装置を当該ホストで使用できるようにするための構成が開示されている。すなわち、特許文献１では、ホストとの接続に用いられるコネクタと、内部回路に外部から電力を供給するための別電源端子と、を備えたカード装置が開示されている。【０００６】
なお、特許文献２及び３には、装置のバックボードから電源が供給されるユニットが開示されている。特許文献４には、外部から電源の供給を受ける拡張ボードが開示されている。
【先行技術文献】
【特許文献】
【０００７】
【特許文献１】特開平７−３０６９２３号公報
【特許文献２】特開平５−３２４１４５号公報
【特許文献３】特開平８−１０２５９０号公報
【特許文献４】特開２００７−１１４９２２号公報
【発明の概要】
【発明が解決しようとする課題】
【０００８】
図９、図１１に示したカード装置１０、４０は、カード装置１０、４０のいずれかの一辺１１、４１にのみ電源供給コネクタ１２、４２を有している。ここで、同一の機能を有するカード装置であれば、図８の本体装置２０と図１０の本体装置５０とで共用したいという要望があっても、図９のカード装置１０と図１１のカード装置４０とでは電源供給の方法が異なっている。そのため、電源供給方法に応じて、外部コネクタ１２を持つカード装置１０と本体コネクタ４２を持つカード装置４０との２種類のカード装置を別個にそれぞれ用意する必要があるという問題があった。【０００９】
また、本体装置２０、５０の電源供給方式として、カード装置１０の外部コネクタ１２を介するものと、本体装置５０のバックボード部５３を介するものとがあるところ、その供給方式を予め知ることができない場合には、図９のカード装置１０と図１１のカード装置４０とで、いずれを使用すればよいかがわからないという問題があった。【００１０】
ここで、特許文献１に記載のカード装置は、ホスト側コネクタと別電源端子とを備えている。しかし、この特許文献１では主として、ホスト側のコネクタから電源の供給を受け、別電源端子は内部回路のバックアップ用に補助的な電源供給を受けるためのものである（特許文献１の図１、４、５、６参照）。【００１１】
したがって、特許文献１のように、ホスト側コネクタと別電源端子とを備えていたとしても、図１０の本体装置５０にしか使用できず、図８の本体装置２０には、別途同じ機能であって外部電源のみで動作するカード装置を用意しなければならないという問題は解決されない。【００１２】
本発明は、このような問題点を解決するためになされたものであり、異なる電源供給方式の本体装置であっても共用できるカード装置及びその電力供給方法を提供することを目的とする。
【課題を解決するための手段】
【００１３】
本発明にかかるカード装置は、少なくとも１つのカードスロットを有し、前記カードスロットに挿入されたカード装置によって機能を発揮する本体装置に挿入されるカード装置であって、扁平矩形状のカード基体と、前記カード基体の内部に設けられ、前記カード装置の機能を発揮させるために電源の供給が必要な内部回路と、前記カードスロットに挿入された状態で前記カードスロットの内面に接するいずれかの辺に設けられ、前記本体装置から電源供給を受けるための本体コネクタと、前記カードスロットに挿入された状態でカードスロットの開口側に位置する端辺に設けられ、外部電源から電源供給を受けるための外部コネクタと、を備え、前記本体コネクタと前記外部コネクタとのうち、電源供給を受けるいずれか一方のコネクタから前記内部回路の動作に必要な電力供給を受けるものである。【００１４】
本発明にかかるカード装置の電力供給方法は、カードスロット内に挿入され、電力供給が必要な内部回路を備えるカード装置の電力供給方法であって、前記カードスロットの内面から電力を供給する場合は、前記カードスロットの開口側からの電力の供給を遮断し、前記開口側から電力を供給する場合は、前記内面からの電力の供給を遮断するものである。
【発明の効果】
【００１５】
本発明により、電源供給を受けるコネクタが、カード装置の外部コネクタか本体コネクタかにかかわらず、いずれの電源供給用コネクタからでも電源の供給を可能とするカード装置及びその電力供給方法を提供することができる。
【図面の簡単な説明】
【００１６】
【図１】実施の形態１にかかるカード装置の斜視図である。
【図２】実施の形態１にかかるカード装置の図である。
【図３】実施の形態１にかかるカード装置内部の図である。
【図４】実施の形態１にかかるカード装置の使用態様の図である。
【図５】実施の形態１にかかるカード装置の使用態様の図である。
【図６】実施の形態２にかかるカード装置内部の図である。
【図７】実施の形態２にかかるカード装置の使用態様の図である。
【図８】従来のカード装置の使用態様の図である。
【図９】従来のカード装置の斜視図である。
【図１０】従来のカード装置の使用態様の図である。
【図１１】従来のカード装置の斜視図である。
【発明を実施するための形態】
【００１７】
実施の形態１
以下、図面を参照して本発明の実施の形態１について説明する。図１は、本発明の実施の形態１の外観斜視図である。カード装置１００は、カード基体１０１と、外部コネクタ１０２と、本体コネクタ１０３と、を備えている。
【００１８】
図２では、カード装置１００がカードスロット２００に挿入された状態を示す図である。カード装置１００は、カードスロット２００に挿入された状態で、カードスロット２００の開口部２０１に位置する辺２０２に外部コネクタ１０２を備える。さらに、カード装置１００は、カードスロット２００の奥側に位置する辺２０３に本体コネクタ１０３を備えている。
【００１９】
図３は、カード装置１００の内部構造を示す図である。カード装置１００は、カード基体１０１内にカード装置１００の機能を発揮させるための内部回路３０１と、外部コネクタ１０２と内部回路３０１とを接続する配線３０２と、本体コネクタ１０３と内部回路３０１とを接続する配線３０３と、を備えている。
【００２０】
次に、実施の形態１にかかるカード装置の使用態様について説明する。図４は、カード装置１００を単一で使用する場合の使用態様を示す図である。図４に示すように、単一のカード装置１００を使用する本体装置２０のカードスロット２１にカード装置１００が挿入される。この場合、本体装置２０は本体コネクタ１０３に接続するバックボード部を有していないため、カード装置１００は、本体コネクタ１０３から電源の供給を受けられない。一方、カード装置１００は外部コネクタ１０２を有しているので、外部電源３０から外部コネクタ１０２を介して電源供給を受けることが可能となる。
【００２１】
図５は、カード装置１００が複数で使用される場合の使用態様を示す図である。図５に示すように、本体装置５０のカードスロット５１に複数のカード装置１００が挿入される。カードスロット５１に挿入されたカード装置１００がカードスロット５１の奥側５２にあたると、本体コネクタ１０３がバックボード部５３に接続される。このような構成において、外部電源３０から電源供給ユニット５４に電源が供給され、バックボード部５３を介してそれぞれのカード装置１００に電源が供給される。
【００２２】
このように、実施の形態１のカード装置１００によれば、電源供給方式が異なる本体装置２０、５０でもカード装置１００を共用することができる。すなわち、図４と図５の使用態様では電源の供給方式が異なっているが、本カード装置１００は外部コネクタ１０２と本体コネクタ１０３との両方を備え、どちらからでも電力供給を受けられる。したがって、図４と図５のように使用態様が異なっていても、同じ機能のカード装置であれば一つ用意すればよい。また、本体装置２０、５０の電源供給方式に応じてカード装置１００を使い分ける必要もないため、カード装置の使用が簡便になる。
【００２３】
実施の形態２
実施の形態２について説明する。図６は実施の形態２を示す図である。図６において、カード装置６００は、電源制御手段６０４をさらに備えている。電源制御手段６０４は、配線３０２に配置されたスイッチ６０２と、配線３０３に配置されたスイッチ６０３と、スイッチ６０２、６０３のオンオフを制御するスイッチ制御部６０１と、を備える。
【００２４】
スイッチ制御部６０１は、外部コネクタ１０２又は本体コネクタ１０３から電源が供給された場合に、電源供給を受けたコネクタ側のスイッチをオンにするとともに、電源が供給されていないコネクタ側のスイッチをオフにする。
【００２５】
例えば、図７において、外部電源３０から外部コネクタ１０２を介して内部回路３０１に電源が供給された場合の動作を示す。この場合、スイッチ制御部６０１は、外部コネクタ１０２側のスイッチ６０２のみをオンさせる。一方、スイッチ制御部６０１は、本体コネクタ１０３側のスイッチ６０３はオフさせる。これにより、外部電源３０から内部回路３０１に電源の供給が行われる。そして、本体コネクタ１０３側を遮断することにより、電流漏れや、ノイズ流入を防止する。
【００２６】
また、図として示してはいないが、逆に、バックボード部５３から本体コネクタ１０３を介して内部回路３０１に電源が供給された場合には、本体コネクタ１０３側のスイッチ６０３のみをオンさせ、外部コネクタ１０２側のスイッチ６０２はオフさせる。
【００２７】
なお、本発明は上記実施の形態に限られたものではなく、趣旨を逸脱しない範囲で適宜変更し、組み合わせることが可能である。例えば、図１乃至７においては、カード装置は、本体コネクタ１０３をカードスロットに挿入した状態で一番奥側に位置する辺に備えているが、本体装置５０の電源供給部の位置に応じて、カードスロット内部に接する辺であればいずれの辺に本体コネクタ１０３を備えてもよい。さらに、カード装置が電源を供給される位置はカード装置の端辺に限られず、カードスロットの内面と接する位置であればよい。ここで、カードスロットの内面とは、カードスロット内部においてカード装置の周辺、上面、下面のいずれかと接する面を意味する。例えば、カード装置の上面に本体コネクタ１０３を備え、当該上面と接するカードスロット内部の面から電力の供給を受けてもよい。
【００２８】
この出願は、２００９年４月２７日に出願された日本出願特願２００９−１０８１４２を基礎とする優先権を主張し、その開示の全てをここに取り込む。
【符号の説明】
【００２９】
１０  カード装置
１１  カード装置の端辺
１２  外部コネクタ
２０  本体装置    
２１  カードスロット
２２  カードスロットの開口部
３０  外部電源
３１  電源供給用コネクタ
４０  カード装置
４１  カード装置の端辺
４２  本体コネクタ
５０  本体装置
５１  カードスロット
５２  カードスロットの最奥側
５３  バックボード部
５４  電源供給ユニット
１００  カード装置
１０１  カード基体
１０２  外部コネクタ
１０３  本体コネクタ
２００  カードスロット
２０１  カードスロットの開口部
２０２  カード装置の端辺
２０３  カード装置の端辺
３０１  内部回路
３０２  配線
３０３  配線
６００  カード装置
６０１  スイッチ制御部
６０２  スイッチ
６０３  スイッチ
６０４  電源制御手段
【図１】
2010125764.tif 000003
【図２】
2010125764.tif 000004
【図３】
2010125764.tif 000005
【図４】
2010125764.tif 000006
【図５】
2010125764.tif 000007
【図６】
2010125764.tif 000008
【図７】
2010125764.tif 000009
【図８】
2010125764.tif 000010
【図９】
2010125764.tif 000011
【図１０】
2010125764.tif 000012
【図１１】
2010125764.tif 000013
【国際調査報告】
2010125764.tif 000014
2010125764.tif 000015
2010125764.tif 000016
2010125764.tif 000017